(57)【要約】【課題】蒸気排出ユニット側の入力端子と屋内分電盤の電流ブレーカに接続される回線接続を適宜増減できて、蒸気排出ユニットの据付施工時における電源回路数の違いによる据付の制約を解消でき、かつ省エネルギー運転が可能な蒸気排出ユニットを提供する。【解決手段】本蒸気排出ユニットは、電源回路が屋内分電盤より分電された複数の電源に常時接続される１つの常時通電入力端子及び適宜選択的に電源に接続される１または複数の入力端子と、常時通電入力端子に接続され、電気器具への給電状態に応じて送風機を制御する制御基板と、複数の入力端子から送風機に送電される電流量を検出し、電力量情報信号を制御基板に入力する電流センサーと、制御基板から出力され、適宜収納棚に取り付けたコンセントに接続される複数の出力端子を有する。【選択図】  図９
2008161430.tif 000002
【特許請求の範囲】
【請求項１】
電気器具が収容される収納棚に取り付けられるユニット本体と、
このユニット本体に設けた蒸気吸込口と蒸気排気口間に配されるダクト及び吸排気用の送風機と、
前記電気器具が接続される電源回路を備え、
前記電気器具から発生する蒸気を前記蒸気吸込口から吸い込み、前記ダクト、前記送風機を介して前記蒸気排気口から排出する蒸気排出ユニットにおいて、
前記電源回路は、
屋内分電盤より分電された複数の電源に常時接続用の１つの常時通電入力端子及び適宜選択的に前記電源に接続される１または複数の入力端子と、
前記常時通電入力端子に接続され、前記電気器具への給電状態に応じて前記送風機を制御する制御基板と有し、
この制御基板は、前記複数の入力端子から適宜収納棚に取り付けたコンセントに接続される前記電気器具の電流量を検出し、この検出した電流量に基づく電力量情報信号を前記基板に入力する複数の電流センサと、
前記制御基板を介し、適宜収納棚に取り付けられたコンセントに接続される複数の出力端子とを有することを特徴とする蒸気排出ユニット。
【請求項２】
前記制御基板は選択的に１個または２個の入力端子を介して電源に接続され、かつ１個または２個の出力端子を介して２個のコンセントに接続されることを特徴とする請求項１に記載の蒸気排出ユニット。
【請求項３】
前記常時通電入力端子とそれ以外の入力端子とが区別できるように、入力端子識別手段を設けることを特徴とする請求項１または２に記載の蒸気排出ユニット。
【請求項４】
前記常時通電入力端子を介して給電される常時給電出力端子と、それ以外の出力端子を区別できるように、出力端子識別手段を設けることを特徴とする請求項３に記載の蒸気排出ユニット。
【発明の詳細な説明】
【技術分野】
【０００１】
本発明は蒸気排出ユニットに係り、特に炊飯器や電気保温ポットなどの電気器具を収納する収納棚内で発生する蒸気の排出を促進するために使用され、電源回路を改良した蒸気排出ユニットに関する。
【背景技術】
【０００２】
従来、収納棚に収納された炊飯器、電気ポットあるいはコーヒーメーカーなどの電気器具の加熱時に発生する蒸気を外部に排出するために、収納棚に蒸気排出ユニットを組み込んでいる。
【０００３】
このような従来の蒸気排出ユニットにおいて、電気炊飯器や電気ポットなどヒータを熱源とする電気器具が多く収納される。
【０００４】
電気炊飯器の通電電流は８アンペア、保温時は１アンペアというように、炊飯時と保温時の電流に差があるときは、炊飯時の電流を検知して排気用送風機を作動させ、保温時あるいはデューテイ比が小さくＯＮ時間が短い工程で換気が必要ないときには、送風機を作動しないようにする蒸気排出ユニットが提案されている（例えば、特許文献１参照）。
【０００５】
しかしながら、特許文献１に記載の蒸気排出ユニットは、蒸気排出ユニット側電源回路の１個の入力端子が、１個の電源に接続される１回線接続であり、これら電気器具は使用電気容量が大きいため、電気器具は使用中に、一般家庭での電気回線事情によってはブレーカが働き、通電が遮断されることがある。
【特許文献１】特開平３−２９７４１１号公報
【発明の開示】
【発明が解決しようとする課題】
【０００６】
本発明は上述した事情を考慮してなされたもので、これら電気器具の使用電気容量を考慮して、蒸気排出ユニット側の入力端子と屋内分電盤の電流ブレーカに接続される回線接続を適宜増減できて、蒸気排出ユニットの据付施工時における電源回路数の違いによる据付の制約を解消でき、かつ省エネルギー運転が可能な蒸気排出ユニットを提供することを目的とする。
【課題を解決するための手段】
【０００７】
上述した目的を達成するため、本蒸気排出ユニットは、電気器具が収容される収納棚に取り付けられるユニット本体と、このユニット本体に設けた蒸気吸込口と蒸気排気口間に配されるダクト及び吸排気用の送風機と、前記電気器具が接続される電源回路を備え、前記電気器具から発生する蒸気を前記蒸気吸込口から吸い込み、前記ダクト、前記送風機を介して前記蒸気排気口から排出する蒸気排出ユニットにおいて、前記電源回路は、屋内分電盤より分電された複数の電源に常時接続用の１つの常時通電入力端子及び適宜選択的に前記電源に接続される１または複数の入力端子と、前記常時通電入力端子に接続され、前記電気器具への給電状態に応じて前記送風機を制御する制御基板と有し、この制御基板は、前記複数の入力端子から適宜収納棚に取り付けたコンセントに接続される前記電気器具の電流量を検出し、この検出した電流量に基づく電力量情報信号を前記基板に入力する複数の電流センサと、前記制御基板を介し、適宜収納棚に取り付けられたコンセントに接続される複数の出力端子とを有することを特徴とする。
【発明の効果】
【０００８】
本発明に係る排出ユニットによれば、電気器具の使用電気容量を考慮して、蒸気排出ユニット側の入力端子と屋内分電盤の電流ブレーカに接続される回線接続を適宜増減できて、蒸気排出ユニットの据付施工時における電源回路数の違いによる据付の制約を解消でき、かつ省エネルギー運転が可能な蒸気排出ユニットを提供することができる。
【発明を実施するための最良の形態】
【０００９】
本発明の一実施形態に係る蒸気排出ユニットについて添付図面を参照して説明する。
【００１０】
図１は本発明に係る蒸気排出ユニットを組み込んだ収納棚の正面図、図２は本蒸気排出ユニットの斜視図、図３は本蒸気排出ユニットの下面図、図４は本蒸気排出ユニットの幅方向の縦断面図、図５は本蒸気排出ユニットの奥行幅方向の縦断面図である。
【００１１】
図１に示すように、本発明に係る蒸気排出ユニット１は、炊飯器、電気ポットあるいはコーヒーメーカーなどの電気器具が収容される収納棚３１に設けた収納部３２の上部に組み込まれて使用される。
【００１２】
図２に示すように、蒸気排出ユニット１は扁平直方体状のユニット本体２を備え、このユニット本体２の外周前面には蒸気排気口３が設けられる。
【００１３】
図３乃至図５に示すように、ユニット本体２の底面には、凹部形成板４によって形成され、底面が平らで扁平略矩形状の凹部５が設けられ、この凹部５のほぼ全体を覆うように平板状の蒸気分散板６が取り付けられる。凹部５は可能な限り浅くして、ユニット本体２を薄くし、さらに、蒸気分散板６は、凹部５の下端部（要符号）と段差ができるように凹部５に押し込んで、空間部を形成し、蒸気分散板６の下方には大きな収容スペースを形成する。
【００１４】
また、凹部５には、蒸気分散板６により蒸気吸込口８が形成され、この蒸気吸込口８は、蒸気分散板６に設けた略Ｔ字状の第１の吸込口８ａと、蒸気分散板６の周縁部と凹部５の側面とで画成されるロ字状の第２の吸込口８ｂからなる。
【００１５】
図４、図５、図２の天板を除去して示す図６、この図６のダクトを取り外した図７に示すように、ユニット本体２の上側には、２個のダクト吸込口９ａ及びダクト吹出口９ｂを備えた略々２等辺三角形状のダクト９が設けられる。２個のダクト吸込口９ａは各々凹部形成板１４に設けた通気孔４ａと一致し、また、ダクト吹出口９ｂと送風機１１のケーシング１０に設けたケーシング吸込口１０ａとが一致している。ダクト９のダクト吹出口９ｂは凹部形成板４の２個の通気孔４ａの幅方向の距離の中間に位置、すなわち送風機１１は、通気孔４ａの幅方向の距離の中間に位置する。ダクト９は蒸気吸込口８及び通気孔４ａを介して吸い込んだ蒸気を、ダクト吹出口９ｂ、ケーシング吸込口１０ａを介してケーシング１０に吸い込み、蒸気排気口３からユニット本体２外に排出する。（９ａと４ａが一致している点の説明要）
送風機１１は、ユニット本体２の前面略中央部に配され、遠心式ファン１１ａであるシロッコファンを備え、遠心式ファン１１ａにはモータ１１ｂが内装される。
【００１６】
また、送風機１１に隣接するユニット本体２の一側には、送風機１１を制御する制御基板１２が設けられる。
【００１７】
図８は蒸気排出ユニット１に１個の電源が接続され、１個の入力端子、制御基板及び１個の出力端子を含む電源回路を１回線使用する場合を示す。
【００１８】
第１の電流ブレーカＳ１とユニット本体２に設けた第１の入力端子１３は、例えば、収納棚設置時などに配線接続される。この第１の入力端子１３は、屋内分電盤より分電された電源（電流ブレーカ）に常時接続される常時通電入力端子であり、この第１の入力端子１３は常時通電を必要とする制御基板入力端子１４と、第１の出力端子１５に並列に接続され、第１の入力端子１３と第１のコンセントＣ１を接続する配線の一側には第１の電流センサー１７が取り付けられ、この第１の電流センサー１７で検知した電流情報信号は制御基板１２に入力される。
【００１９】
また、第１の出力端子１５には、第１のコンセントＣ１及び第２のコンセントＣ２が並列に接続される。
【００２０】
制御基板１２は電気器具への給電状態に応じて送風機１１を制御するためのものである。さらに、制御基板１２には送風機出力端子１８が設けられ、この送風機出力端子１８には送風機１１が接続される。
【００２１】
第１のコンセントＣ１及び第２のコンセントＣ２に接続される電気器具が通電状態であるときは、第１の電流センサー１７がその電流を検知し、制御基板１２を介して、送風機１１を駆動して、蒸気の排気を行い、電気器具に通電されていない状態では、制御基板１２を介して、送風機１１を停止させる。
【００２２】
なお、常時通電入力端子である第１の入力端子１３は、他の入力端子である第２の入力端子１９を容易に見分けられるように、入力端子識別手段２０を設けるのが好ましい。これにより、第１の入力端子１３を見分けることができ、電源に誤接続なく確実に接続できて、常時制御基板１２に給電できる。また、第１の入力端子１３を介して給電される常時給電出力端子としての第１の出力端子１５と、それ以外の出力端子である第２出力端子ｘを区別できるように、出力端子識別手段２２を設けるのが好ましい。これにより、第１の出力端子１５にコンセントＣ１、Ｃ２を確実に接続できる。端子識別手段としては、端子近傍に設ける注意書あるいは他の端子に被せるキャップなどが挙げられる。
【００２３】
図９は蒸気排出ユニット１に２個の電源が接続され、２個の入力端子、制御基板及び２個の出力端子を含む電源回路を２回線使用する場合を示す。
【００２４】
図８に示す１回線を使用する場合に加えて、第２の電流ブレーカＳ２とユニット本体２に設けた第２の入力端子１９は、第１の入力端子１３と同様に、収納棚設置時などに配線接続される。この第２の入力端子１９は第２の出力端子２１に接続され、第２の入力端子１９と第２のコンセントＣ２を接続する配線の一側には第２の電流センサー２３が取り付けられ、この第２の電流センサー２３で検知した電流情報信号は制御基板１２に入力される。また、第２の入力端子１９は、第２の出力端子２１に接続され、この第２の入力端子１９と第２の出力端子２１を接続する配線の一側には第２の電流センサー２３が取り付けられ、この第２の電流センサー２３で検知した電流情報信号は制御基板１２に入力される。さらに、第２の出力端子２１には、第２のコンセントＣ２が並列に接続される。
【００２５】
上記のように、蒸気排出ユニット１は電源回路を１回線あるいは２回線を選択的に使用することができるため、電気器具の使用電気容量を考慮して、入力端子と屋内分電盤の電流ブレーカに接続される回線接続を適宜増減でき、蒸気排出ユニットの据付施工時における電源回路数の違いによる据付の制約を解消できる。
【００２６】
また、図１に示すように、蒸気排出ユニット１は、収納棚３１上部に組み込まれ、炊飯器、電気保温ポットなどの電気器具が収納棚３１の収納部３２に収納される。
【００２７】
蒸気排出ユニット１の使用時、電気器具の電源が入れられ、電気器具から蒸気が発生する。また、送風機１１に通電され、電気器具から発生した蒸気は、蒸気吸込口８、ダクト９を介して蒸気排気口３からユニット本体２外に排出される。
【００２８】
さらに、電気炊飯器及び電気ポットの通電時、第１の電流センサー１７及び第２の電流センサー２３で、蒸気が発生する電気炊飯器及び電気ポットの炊飯及び湯炊き上げ時に流れる電流と保温時に流れる電流を検知し、炊飯及び湯炊き上げ時には、制御基板１２を介して送風機１１を回転させ、蒸気が発生しない保温時には、制御基板１２を介して送風機１１を停止させる。これにより、蒸気排出ユニット１の省エネルギー運転が可能になる。
【００２９】
本実施形態の蒸気排出ユニットによれば、電気器具の使用電気容量を考慮して、蒸気排出ユニット側の入力端子と屋内分電盤の電流ブレーカに接続される回線接続を適宜増減でき、蒸気排出ユニットの据付施工時における電源回路数の違いによる据付の制約を解消でき、かつ省エネルギー運転が可能な蒸気排出ユニットが実現する。
【００３０】
なお、上記実施形態では２個の電源に接続される２個の入力端子を用いる例で説明したが、３個以上の電源に接続される３個の入力端子を用いる蒸気排出ユニットであっても、同様の効果が得られる。
【図面の簡単な説明】
【００３１】
【図１】本発明に係る蒸気排出ユニット付収納棚の正面図。
【図２】本発明に係る蒸気排出ユニット付収納棚に用いる蒸気排出ユニットの斜視図。
【図３】本発明に係る蒸気排出ユニット付収納棚に用いる蒸気排出ユニットの下面図。
【図４】本発明に係る蒸気排出ユニット付収納棚に用いる蒸気排出ユニットの幅方向の縦断面図。
【図５】本発明に係る蒸気排出ユニット付収納棚に用いる蒸気排出ユニットの奥行幅方向の縦断面図。
【図６】本発明に係る蒸気排出ユニット付収納棚に用いる蒸気排出ユニットの天板を除去して示す上面図。
【図７】本発明に係る蒸気排出ユニット付収納棚に用いる蒸気排出ユニットのダクトを除去して示す上面図。
【図８】本発明に係る蒸気排出ユニット付収納棚に用いる蒸気排出ユニットの１回線使用時の電気回路図。
【図９】本発明に係る蒸気排出ユニット付収納棚に用いる蒸気排出ユニットの２回線使用時の電気回路図。
【符号の説明】
【００３２】
１  蒸気排出ユニット
２  ユニット本体
３  蒸気排気口
６  蒸気分散板
８  蒸気吸込口
９  ダクト
１１  送風機
１２  制御基板
１３  第１の入力端子
１４  制御基板入力端子
１５  第１の出力端子
１７  第１の電流センサー
１８  送風機出力端子
１９  第２の入力端子
２０  入力端子識別手段
２１  第２の出力端子
２２  出力端子識別手段
２３  第２の電流センサー
【図１】
2008161430.tif 000003
【図２】
2008161430.tif 000004
【図３】
2008161430.tif 000005
【図４】
2008161430.tif 000006
【図５】
2008161430.tif 000007
【図６】
2008161430.tif 000008
【図７】
2008161430.tif 000009
【図８】
2008161430.tif 000010
【図９】
2008161430.tif 000011